(57)【特許請求の範囲】
【請求項１】
各電気音響変換器が振動板を有し、該振動板が前記振動板の移動を画定している軸によって特徴付けられる少なくとも２つの電気音響変換器と、
前記少なくとも２つの電気音響変換器を支持するハウジングであって、互いに対して及びキャビティーに対して所定の方向でそれぞれの前記軸を維持し、前記少なくとも２つの電気音響変換器のそれぞれが前記キャビティーの側壁に対して略同一平面上にあり、前記側壁が前記キャビティーからの開口部と反対側の端壁によって接続されているハウジングと、
を備えている装置において、
前記少なくとも２つの電気音響変換器は、前記振動板の移動を画定している軸とキャビティーの開口部面とのなす角度が１°〜２０°であるようにキャビティーの側壁に設けられ、
前記音響変換器が等しい振幅及び実質的に同相で駆動される場合に、前記少なくとも２つの振動板のそれぞれの移動によって発生した慣性力と前記振動板の移動によって生じた圧力によってキャビティーの側壁及び端壁に対して作用される音響力とのベクトル和は、実質的にゼロになり、
前記ハウジングは、少なくとも２つの電気音響変換器を含む分離した密閉チャンバーを有していないことを特徴とする装置。
【請求項２】
前記少なくとも２つの振動板の第１の振動板の動きによって発生した慣性力の第１の要素と、前記少なくとも２つの振動板の第２の振動板の動きによって発生した慣性力の第１の要素とは、前記振動板の移動によって生じた圧力によってキャビティーの端壁に対して作用される音響力によって相殺され、第１の要素とは、ハウジングの開口面に対して垂直である方向をいうことを特徴とする請求項１に記載の装置。
【請求項３】
前記第１の振動板の動きによって発生した慣性力の第２の要素は、前記第２の振動板の動きによって発生した慣性力の第２の要素によって相殺され、第２の要素とは、ハウジングの開口面に対して平行である方向をいうことを特徴とする請求項２に記載された装置。
【請求項４】
前記ハウジングは、バッフルに取り付けられており、前記バッフルは、車体の計器板、車体の後方荷物棚、車体のドアトリムパネル、車体の内側ドア外皮、又は部屋の床、部屋の壁、及び部屋の天井からなるグループから選択されることを特徴とする請求項１に記載の装置。
【請求項５】
前記ハウジングは、エンクロージャーに取り付けられることを特徴とする請求項１に記載の装置。
【発明の詳細な説明】
【技術分野】
【０００１】
この開示は、減少した振動を有するラウドスピーカー・オーディオ・システムに関する。
【背景技術】
【０００２】
電気音響変換器における移動する振動板（diaphragm）は、振動板を支持するバスケット上に反力を発生させ、該反力は、音量をリスニング音量（listening volume）及び後方音量（back volume）に分割するエンクロージャー又はバッフルに伝達される。バッフルは、従来軽量であり、バッフルの平面において硬いが、バッフル平面に対して垂直な振動に影響されやすい。バッフル平面に対して垂直な要素を有する反力は、電気音響変換器によって発生した音響信号を減じるバジング（buzzing）及び可聴騒音（audible noise）を発生させることができる。重いエンクロージャーは、反力によって発生したバジング又は可聴騒音を減少することができるが、そのエンクロージャーの重量を犠牲にしている。
【０００３】
特許文献１〜３には、バッフルの振動を減少させるための方法及びシステムが記載されており、それらの全体が参照によって本願明細書内に組み込まれる。記載された方法及び装置において、２つ以上の振動板によって発生した正味の反力が好ましくはゼロになる、又は単一の振動板によって発生した反力より小さくなるように、２つ以上の振動板は、互いに対して方向付けられる。
【先行技術文献】
【特許文献】
【０００４】
【特許文献１】米国特許第６，９８５，５９３号明細書
【特許文献２】米国特許公開第２００５／０１１１６７３号明細書
【特許文献３】米国特許出願第１１／５９１，２８５号明細書
【発明の概要】
【課題を解決するための手段】
【０００５】
バッフルの振動を減少させるためのシステム及び方法は、２つ以上の移動する振動板によって発生した慣性力を相殺するステップと、バッフルに作用する正味の力が実質的にゼロになるように、前記２つ以上の移動する振動板を支持するハウジングに作用する音圧を相殺するステップと、を含む。ハウジングに作用している音響力（acoustic force）は、慣性力の相殺から独立して相殺される場合がある。他の構成において、ハウジングに作用している音響力は、ゼロではない正味の慣性力によって相殺される場合がある。
【０００６】
本願発明の一の実施形態は、第１の振動板を有する第１の電気音響変換器であって、第１の振動板が第１の振動板の移動を画定する第１の軸によって特徴付けられる第１の電気音響変換器と、第２の振動板を有する第２の電気音響変換器であって、第２の振動板が第２の振動板の移動を画定する第２の軸によって特徴付けられる第２の電気音響変換器と、第１の電気音響変換器及び第２の電気音響変換器を支持するハウジングであって、第２の軸に対して所定の方向に第１の軸を維持するハウジングと、を備えている装置において、第１の振動板によって発生した慣性力と、第２の振動板によって発生した慣性力と、音響力とのベクトル和は、実質的にゼロになる装置に向けられる。一の態様において、第１の振動板によって発生した慣性力の第１の要素と第２の振動板によって発生した慣性力の第１の要素とは、音響力によって相殺される。さらなる態様において、第１の振動板によって発生した慣性力の第２の要素は、第２の振動板によって発生した慣性力の第２の要素によって相殺される。他の態様において、ハウジングは、バッフルに取り付けられており、該バッフルは、車体の計器板、車体の後方荷物棚、車体のドアトリムパネル、車体の内側ドア外皮、又は部屋の床、部屋の壁、及び部屋の天井からなるグループから選択される。他の態様において、ハウジングは、エンクロージャーに取り付けられる。他の態様において、ハウジングは、前方側端壁を有する前方側ダクトであって、第１の振動板の前方側及び第２の振動板の前方側が前方側ダクトに直接的に連結される、前方側ダクトと、第１の後方側端壁を有する第１の後方側ダクトであって、第１の振動板の後方側が第１の後方側ダクトに直接的に連結される、第１の後方側ダクトと、第２の後方側端壁を有する第２の後方側ダクトであって、第２の振動板の後方側が第２の後方側ダクトに直接的に連結される、第２の後方側ダクトと、を含み、前方側端壁上の音響力と、第１の後方側端壁上の音響力と、第２の後方側端壁上の音響力とのベクトル和は、実質的にゼロになる。さらなる態様において、第１の軸は、第２の軸と同一直線上（collinear）にある。
【０００７】
本願発明の他の実施形態は、各電気音響変換器が振動板を有し、該振動板が振動板の移動を画定する軸によって特徴付けられる少なくとも２つの電気音響変換器と、少なくとも２つの電気音響変換器を支持するハウジングであって、互いに対して所定の方向にそれぞれの軸を維持するハウジングと、を備えている装置において、前記少なくとも２つの振動板のそれぞれの移動によって発生した慣性力と音響力とのベクトル和は、実質的にゼロになる装置に向けられる。一の態様において、バッフルに対して平行な平面上の各軸の投影（projection）は、３６０°／ｎの隣接する軸とともに角度を生み出し、ｎがハウジングによって支持された電気音響変換器の数である。他の態様において、第１の方向における音響力の要素は、第１の方向における慣性力の要素の和によって相殺される。
【０００８】
本願発明の他の実施形態は、第１の振動板を有する第１の電気音響変換器であって、第１の振動板が、第１の振動板の移動を画定している第１の軸によって特徴付けられる第１の電気音響変換器と、第２の振動板を有する第２の電気音響変換器であって、第２の振動板が、第２の振動板の移動を画定している第２の軸によって特徴付けられる第２の電気音響変換器と、第１の電気音響変換器及び第２の電気音響変換器を支持しているハウジングであって、第２の軸に対して同一直線上に第１の軸を維持するハウジングと、音圧によって作用される表面を提供する音響バランサーであって、ハウジングの一部上に音響力を相殺する力が生じ、正味の音響力が減少される、音響バランサーと、を備える装置に向けられる。一の態様において、音響バランサーは、ハウジングの床に取り付けられたステムと、リスニング音量に対する開口部に張り出すプレートであって、音圧によって作用された表面を提供するプレートと、を有するペデスタル（pedestal）である。
【０００９】
本願発明の他の実施形態は、バッフルの振動を減少させるための方法において、第１の振動板によって発生した第１の慣性力を第２の振動板によって発生した第２の慣性力と相殺するステップと、第１の振動板及び第２の振動板によって発生した音響力を相殺するステップと、を備える方法において、正味の力がバッフルに伝達され、相殺された慣性力及び音響力とのベクトル和からなる正味の力が実質的にゼロになる方法に向けられる。一の態様において、音響力を相殺するステップは、慣性力を相殺するステップから独立して実施される。他の態様において、音響力は、第１の慣性力及び第２の慣性力の要素を備えている正味の慣性力によって相殺される。他の態様において、第１の慣性力及び第２の慣性力を相殺するステップは、第２の振動板の動きを特徴付ける軸に対して第１の振動板の動きを特徴付ける軸を方向付けることをさらに含む。
【図面の簡単な説明】
【００１０】
【図１】本願発明の実施形態の側面概略図である。
【図２】本願発明の他の実施形態の側面概略図である。
【図３ａ】本願発明の他の実施形態の上面概略図である。
【図３ｂ】図３ａに示された実施形態の側面概略図である
【発明を実施するための形態】
【００１１】
図１に示される例において、ハウジング１２０は、２つの電気音響変換器１３０を支持する。ハウジング１２０は、バッフル又はエンクロージャー１１０に取り付けられ、後方音量（back volume）１０３からリスニング音量（listening volume）１０１を分割するためにバッフル１１０とともに相互作用する。バッフル１１０は、例えば、車体の計器板、車体の後方荷物棚、車体のドアトリムパネル、車体の内側ドア外皮、又は部屋の床、部屋の壁、又は部屋の天井などの、移動体又は部屋の内側表面とされる場合がある。
【００１２】
各電気音響変換器１３０は、該電気音響変換器の振動板の変位を画定する軸１３５によって特徴付けられる。スピーカーコーンとして言及される振動板は、サラウンド（surround）及びスパイダ（spider）によって支持される。振動板の外側縁部は、サラウンドの内側縁部に周囲に取り付けられる。振動板の内側縁部は、ボビン（bobbin）に取り付けられる。スパイダの内側縁部は、ボビンに取り付けられる。サラウンドの外側縁部及びスパイダの外側縁部は、バスケットに取り付けられる。サラウンド及びスパイダは、好ましくは、電気音響変換器の軸１３５に沿った振動板の移動を制限する。バスケットは、磁石、極板、後方極板、及び極片を支持する。ボビンは、極板と極片との間に形成された環状間隙内に配置される。ワイヤコイルは、ボビンの周りに巻き付けられ、ボビン及びコイルは、音声コイルを備え、音響信号を表している電気信号を受容する。ワイヤコイルは、作用された電気信号に応じて磁場を発生させ、該磁場は、磁石によって発生した磁場と相互作用し、振動板をバスケットに対して移動させ、且つ軸１３５に沿って移動させる。振動板に取り付けられたダストカバーは、粒子状物質が間隙内に蓄えることを防ぐ。振動板として以降に集中的に記載される、振動板や音声コイルなどの可動部品の質量は、該振動板が相互作用磁場によって加速されると、バスケット上に慣性力を生成する。電気音響変換器の構造及び動作に関するさらなる詳細は、例えば、２００７年２月２８日付けで提出された、係属中の米国特許出願第１１／６８０，３５８号に見受けられる場合があり、その全体を参照して本願に組み込まれる。
【００１３】
図１に示される例において、各電器音響変換器１３０は、複数の電気音響変換器１３０の複数の軸が同一直線上にあるように、ハウジング１２０によって支持される。振動板が軸１３５に沿って移動すると、慣性力として本願で言及される反力が発生し、該反力はバスケットに作用され、ハウジング１２０及びバッフル１１０に伝達される。電気音響変換器の各振動板は、キャビティー１０５に直接的に結合された前方面と、後方音量１０３に直接的に結合される後方面と、を有する。キャビティー１０５は、ハウジング１２０及び電気音響変換器１３０によって境界付けられ、リスニング音量１０１に対して開口部を有する。好ましい実施形態において、複数の電気音響変換器１３０は、同一の種類であり、等しい振幅で電気的に駆動され、両方の電気音響変換器１３０の振動板が一致して（in unison）キャビティー１０５内に、又はキャビティー１０５の外側に変位させるように実質的に同相で電気的に駆動される。
【００１４】
複数の電気音響変換器１３５の振動板が一致して移動すると、一の電気音響変換器によって発生したハウジング１２０上の反力は、バッフルに伝達される正味の反力（net reaction force）、すなわち各電気音響変換器のバスケット上の反力のベクトル和が実質的にゼロになるように、他の電気音響変換器によって発生した反力によって相殺される。複数の反力の正確な相殺が、任意のマクロ的なシステムにおいてありそうもないことは、理解されるべきであり、「実質的にゼロ」との用語が、２つ以上の反力の正味の合成力が、単一の振動板によって発生した反力より少なくとも１桁小さい大きさ（１０％）、より好ましくは少なくとも２桁小さい大きさ（１％）であることを意味することは、理解されるべきである。
【００１５】
しかしながら、振動板の移動によって発生した反力は、バッフル上に作用する力のみではない。例えば、電気音響変換器１３０の振動板がキャビティー１０５内に移動すると、キャビティー内の圧力が増加し、キャビティーの壁及び床に力を及ぼす。キャビティー内で移動している振動板によって発生した圧力は、リスニング音量で聞こえるサラウンドを生成し、音圧として本願明細書で言及される。本願明細書で使用されるように、音響力は、キャビティー表面の一部に作用している音圧である。キャビティーの壁上の音響力は、キャビティーの反対側の壁上の音響力によって相殺され、その結果、キャビティーに作用される実質的にゼロの正味の力が生じる。しかしながら、ハウジング１２０のキャビティーの床１２５に作用される音響力は、リスニング音量内へのキャビティーの開口部のために、相殺されない。キャビティーの床上の相殺されない音響力は、図１で矢印１４０によって示され、バッフルへ伝達され、所望ましくないバッフルの振動又はバズ（buzz）を発生させる場合がある。
【００１６】
例えば、ペデスタル（pedestal）１５０などの音響バランサーは、ハウジング１２０の床１２５に取り付けられる。ペデスタル１５０は、キャビティーの床１２５に取り付けられ、且つキャビティーの開口部に張り出すプレート１５４によって覆われる垂直ステム１５２を含む。プレート１５４の底部に作用する音圧は、正味の合成音響力が減少されるように、キャビティーの床１２５上の音響力を少なくとも部分的に相殺することができる音響力を発生させる。矢印１４２によって示されるペデスタル１５０上に作用する音響力は典型的に、音響力１４０と音響力１４２とのベクトル和が部分的にのみ相殺されるように、キャビティーの床１２５上に作用している音響力より小さい。
【００１７】
図１に示される例において、音響力は、慣性力のベクトル和が実質的にゼロになり、且つ音響力のベクトル和から独立するように、複数の慣性力から独立して相殺される。図１に示される電気音響変換器の振動板によって発生した慣性力は、横方向のみにおける力ベクトルのゼロではない要素を有する。本願明細書で使用されるように、力ベクトルは、３つのベクトル要素の和から構成される場合がある。各ベクトル要素は、大きさを表しているスカラー量と単位基底ベクトルとの積である。各単位基底ベクトルは、他の２つの単位基底ベクトルと直交し、それぞれは、単位大きさ（unit magnitude）を有する。図１に示される例において、第１の基底ベクトルは、左方向から右方向又は水平方向を表し、第２の基底ベクトルは、底部方向から上部方向又は垂直方向を表し、第３の基底ベクトルは、図１の平面から外側への方向又は深さ方向を表すことができる。図１に示される平面における上下方向の動きを記述している垂直方向の軸における慣性力要素、及び図１に示される平面の内外の動きを記述している深さ軸における慣性力要素は、両方とも実質的にゼロになり、垂直方向及び深さ方向における実質的なゼロの力要素を生じる。横方向において、左側の電気音響変換器の横方向における慣性力要素は、右側の電気音響変換器の横方向における慣性力要素と実質的に等しく、且つ反対向きであり、それによって、慣性力の横方向の要素の和が実質的にゼロになる。キャビティーの垂直壁上の音響力は、音響力の横方向の要素の和が実質的にゼロになり、且つ音響力の深さ要素の和が実質的にゼロになるように、キャビティーの反対側の壁上の音響力によって相殺される。図１に示される例において、音響力の垂直方向の要素は、キャビティーの床上に作用している力とキャビティーの開口部に亘るプレート１５４の一部上に作用する音響力との和によって付与される。キャビティーの開口部に近接する音圧は、垂直方向における音響力の和がゼロではないが減少されるように、キャビティーの床に近接する音圧より小さくなる。
【００１８】
図２は、図１に示されるペデスタルの必要性を除去する他の実施形態を図示する。図２において、ハウジング２２０は、２つの電気音響変換器２３０を支持する。ハウジング２２０は、バッフル又はエンクロージャー２１０に取り付けられる。ハウジング２２０及びバッフル２１０は、後方音量２０３からリスニング音量２０１を分離する。バッフル２１０は、例えば、車体の計器板、車体の後方荷物棚、車体のドアトリムパネル、車体の内側ドア外皮、又は部屋の床、部屋の壁、又は部屋の天井などの、移動体又は部屋の内側表面とされる場合がある。
【００１９】
複数の電気音響変換器の各振動板は、キャビティー２０５に対して直接的に連結される前方面と、後方音量２０３に直接的に連結される後方面と、を有する。キャビティー２０５は、ハウジング２２０及び電気音響変換器２３０によって境界付けられ、リスニング音量２０１に対する開口部を有する。
【００２０】
各電気音響変換器２３０は、電気音響変換器の振動板の変位を画定する軸２３５によって特徴付けられる。振動板が軸２３５に沿って移動すると、反力が発生し、該反力はハウジング２２０及びに伝達される。ハウジング２２０は、各電気音響変換器の軸２３５がバッフル２１０の平面から所定の角度αで方向付けられるように、電気音響変換器２３０を支持する。例えば、振動板がその各軸に沿って内側へ移動すると、振動板によって発生した慣性反力は、バッフルに対して略平行な水平方向要素２３６と垂直方向要素２３８とに分解されることができる。図２に示されるような対称的な構成において、水平方向の力要素は、互いに相殺し、その結果として、実質的にゼロの正味の力が生じる。各反力の垂直方向要素２３８は加算され、角度αの選択によってハウジングの床上に作用される、矢印２４０によって示される音響力を相殺するようにさせることができる。
【００２１】
角度αの選択は、電気音響変換器の性質及びキャビティーの寸法を考慮することによって行われる場合がある。例えば、開口部でおよそ９ｃｍの幅、１６ｃｍの高さ、及び２４ｃｍの深さのキャビティーにおける、それぞれ約２０ｃｍの大径及び約１３ｃｍの小径によって特徴付けられた一対の電気音響変換器のために、約１２°の角度α、より具体的には８°と１５°との間の角度αは、ハウジングの床上の音圧を相殺することに効果的である。一般的に、角度αのための１°〜２０°の範囲は、典型的に経験される電気音響変換器−キャビティー形状の組み合わせの範囲をカバーするように思われる。
【００２２】
図２に示される例において、音響力及び慣性力は、複数の力ベクトルの深さ要素において互いから独立して相殺され、それによって、キャビティーの前方壁上に作用している音響力とキャビティーの後方壁上に作用している音響力との和が実質的にゼロになり、前方壁上に作用している慣性力と後方壁上に作用している慣性力との和が実質的にゼロになる。横方向において、音響力は、慣性力から独立して相殺され、それによって、左側の壁上に作用している音響力と右側の壁上に作用している音響力との和は、実質的にゼロになり、左側の壁上に作用している慣性力の横方向要素２３６と右側の壁上に作用している慣性力の横方向要素２３６との和は、実質的にゼロになる。しかしながら、垂直方向において、慣性力の垂直方向要素２３８は、慣性力及び音響力の垂直方向要素の和が実質的にゼロになるように、音響力の垂直方向要素２４０を相殺する。図１に示された例と異なって、図２に示された例は、音響力及び慣性力のベクトル和が実質的にゼロになるように、音響力及び慣性力の両方を相殺する。
【００２３】
図３ａは、前方側ダクト及び後方側ダクトを有する他の構成の上面概略図である。図３ａにおいて、好ましくは同じ種類の、電気音響変換器３３０及び３３１は、前方側ダクト３０５及び後方側ダクト３０３、３０７を含むハウジング内に支持される。複数の電気音響変換器３３０及び３３１は、それらの軸３３５及び３３６が同一直線上にあるように方向付けられる。各電気音響変換器３３０及び３３１の振動板の前方側は、直接的に前方側ダクト３０５に連結される。電気音響変換器３３０の振動板の後方側は、後方側ダクト３０３に直接的に連結され、電気音響変換器３３１の振動板の後方側は、後方側ダクト３０７に直接的に連結される。
【００２４】
図３ｂは、図３ａに示される構成の側面概略図である。ハウジング３２０は、バッフル又はエンクロージャー３１０に取り付けられ、バッフル又はエンクロージャー３１０は、後方音量３０２からリスニング音量３０１を分割する。バッフル３１０は、例えば、車体の計器板、車体の後方荷物棚、車体のドアトリムパネル、車体の内側ドア外皮、又は部屋の床、部屋の壁、又は部屋の天井などの、移動体又は部屋の内側表面とされる場合がある。前方側ダクト３０５は、リスニング音量３０１に連結される。後方側ダクト３０３及び３０７は、後方音量３０２に連結される。
【００２５】
電気音響変換器３３０、３３１は、好ましくは、各電気音響変換器の振動板が前方側ダクト３０５内に移動する、又は前方側ダクト３０５の外側へ移動するように、駆動される。両方の振動板が前方側ダクト３０５内に駆動されると、前方側ダクトにおける圧力は、増加し、前方側ダクト３０５の端壁３０６上の矢印３４５によって示されるように、音響力を発生させる端壁３０６の領域に亘って音圧を作用する。振動板が前方側ダクト３０５内に移動すると、振動板は、後方側ダクト３０３、３０７の外側に移動し、それによって後方側ダクト３０３、３０７における圧力を低減させる。低減された圧力は、端壁３０４及び端壁３０８の領域に亘って音圧を作用し、端壁３０４及び端部３０８上にそれぞれ、矢印３４７及び矢印３４９によって示されるように、音響力を発生させる。同時に、端壁３０４及び端壁３０８上に作用している音響力は、端壁３０６上に作用している音響力を相殺する。前方側ダクト３０５及び後方側ダクト３０３及び３０７は、音響力が相殺され、実質的にゼロの正味のトルクを有し、０．１％以下の、好ましくは０．０１％以下の後方壁の曲げひずみを有するように、寸法決めされる。
【００２６】
図３ａ及び図３ｂに図示される例において、音響力は、慣性力から独立して相殺される。音響力のベクトル和及び慣性力のベクトル和の両方はそれぞれ、実質的にゼロになる。
【００２７】
それ故に、本願発明の少なくとも図示の実施形態を記載しているけれども、様々な修正及び改良は、当業者によって容易に生じ、本願発明の技術的範囲内にあるように意図される。例えば、２つの電気音響変換器が図面に示されるけれども、任意の数の電気音響変換器が使用される場合がある。例えば、３つの電気音響変換器の構造は、各電気音響変換器の軸が、キャビティーの垂直方向回転軸上にあり、且つその隣接した軸とともに３６０°／３＝１２０°の角度を形成するポイントで、他の軸と交差するように形成されることができる。同様に、４つの電気音響変換器は、各電気音響変換器の軸は、キャビティーの垂直回転軸上にあり、且つその隣接する軸とともに３６０°／４＝９０°の角度を形成するポイントで、他の軸と交差するように、構成される場合がある。それ故に、前述の説明は、ほんの一例としてであり、制限されるように意図されるものではない。本願発明は、以下の特許請求の範囲及びそれらに同等のものに画定されるようにのみ制限される。
【符号の説明】
【００２８】
１０１  リスニング音量
１０３  後方音量
１０５  キャビティー
１１０  バッフル、エンクロージャー
１２０  ハウジング
１２５  キャビティーの床
１３０  電気音響変換器
１３５  軸
１４０  矢印
１４２  矢印
１５０  ペデスタル
１５２  垂直ステム
１５４  プレート
２０１  リスニング音量
２０３  後方音量
２０５  キャビティー
２１０  バッフル、エンクロージャー
２２０  ハウジング
２３０  電気音響変換器
２３５  軸
２３６  水平方向要素
２３８  垂直方向要素
２４０  矢印
３０１  リンニング音量
３０２  後方音量
３０３  後方側ダクト
３０４  端壁
３０５  前方側ダクト
３０６  端壁
３０７  後方側ダクト
３０８  端壁
３１０  バッフル、エンクロージャー
３２０  ハウジング
３３０  電気音響変換器
３３１  電気音響変換器
３３５  軸
３３６  軸
３４５  矢印
３４７  矢印
３４９  矢印
【図１】
0005649223.tif 000002
【図２】
0005649223.tif 000003
【図３ａ】
0005649223.tif 000004
【図３ｂ】
0005649223.tif 000005